(57)【要約】【課題】  客の施設の利用時間の残り時間が少なくなっている場合には注文された商品を登録する前にその旨を店員に報知して客に確認することにより、客と店とのトラブルを防止してサービスの向上を図る。【解決手段】ステーション３０は、ＨＴＬ１０から送信された注文情報を受信すると現在の時間が注文情報に含まれる特定情報で特定される客に対応する入館許可情報から算出される入館許可終了時間より所定時間前であるか否かを判断し、現在の時間が入館許可終了時間より所定時間前でないと判断するとその判断結果を警告情報として携帯端末へ送信する。ＨＴＬ１０は警告情報を受信すると特定情報で特定される客の入館許可時間が入館許可終了時間より所定時間前を経過していることを報知する。【選択図】図１
2007293527.tif 000002
【特許請求の範囲】
【請求項１】
入館時に受付時間から定められた時間の入館が許可される入館券を購入した客の入館許可時間に関する入館許可情報をその客を特定する特定情報と関連付けて外部装置から取得する情報処理装置と、客を特定する特定情報及びその客が注文した商品を示す商品情報を含む注文情報を前記情報処理装置へ送信する携帯端末とからなる注文情報処理システムにおいて、
前記情報処理装置は、前記携帯端末から送信された注文情報を受信すると現在の時間が前記注文情報に含まれる特定情報で特定される客に対応する入館許可情報から算出される入館許可終了時間より所定時間前であるか否かを判断し、現在の時間が前記入館許可終了時間より所定時間前でないと判断するとその判断結果を警告情報として前記携帯端末へ送信する警告情報送信手段と、
前記携帯端末は前記警告情報を受信すると前記特定情報で特定される客の入館許可時間が入館許可終了時間より所定時間前を経過していることを報知する報知手段とを具備することを特徴とする注文情報処理システム。
【発明の詳細な説明】
【技術分野】
【０００１】
本発明は、客が注文した商品を示す商品情報及びその客を特定する特定情報を含む情報を注文情報として取得する携帯端末とその携帯端末から送信された注文情報の処理を行なう情報処理装置とからなる注文情報処理システムに関する。
【背景技術】
【０００２】
温浴施設等の商業施設において、客が予め利用する時間に応じた料金を支払って入館する料金前払いシステムが用いられている店舗がある。このような店舗では客が荷物等を一時的に預けるためのロッカーを配置している。そして、客は入館する際にロッカーに荷物を入れた後ロッカーキーを抜きロッカーをロックする。このロッカーキーにはロッカー番号と対応するバーコードデータが印字されたタグが付けられており、ロッカーキーは施設を利用する間、常に客に所持される。
【０００３】
また、上記施設において客は、入館する際に店員に施設の利用時間などを申し出る。店員が客の所持するロッカーキーのタグのバーコードをスキャナで読み取った後、客の申し出た利用時間などの商品と対応する商品キーを押下する等の操作を行うことにより、レジスタは客を特定するためのロッカー番号、受付時間、商品内容を登録し、ロッカー番号、受付時間、受付時間と商品内容から算出される退館時間、商品内容が印字された入館券を発行している。また、客が施設内のレストランで飲食を行なう場合等は、ロッカー番号と注文された商品等をレストラン内の情報処理装置であるステーション等に記憶しておき、退館時に精算を行なっていた。
【０００４】
また、アミューズメントシステム施設等の運営システムにおいて、非接触でデータ交信可能な携帯可能な電子媒体を原則として施設利用者の全員に携帯させて、当該電子媒体に固有の識別コードを付すこととプリペイド料金の支払いを条件として、問うギア識別コードを基準として、利用者の入場時間、アトラクションの利用予約、レストランでの飲食、売店での買い物等のデータを認識、把握することにより入退場やアトラクション利用の際に並んで待つことなどのないように、楽しく施設を利用できるようにする技術が知られている（例えば、特許文献１参照）。
【特許文献１】特開平１１−１８４９９９号公報
【発明の開示】
【発明が解決しようとする課題】
【０００５】
特許文献１に記載されたものでは電子媒体を原則として施設利用者の全員に携帯する必要があるが、温浴施設等においてはロッカーキー以外の所持品はロッカーに預けておくことが通常であり、電子媒体を施設内で常時携帯することは難しい。したがって、客は温浴施設等においては、館内に設置された時間等で現在時刻を確認することになる。
【０００６】
客が温浴施設内のレストラン等の飲食店で飲食を行なう際には、店員はロッカーキーのタグのバーコードを用いて客から注文された商品の登録を行なう。この際、店員は客の施設の利用時間の残りがどれくらいあるかを知ることができない。このため実際にはあと少しの時間しか施設の利用時間がないにも関わらず、注文を受けてしまう場合もある。この場合飲食を行った後退館する際には入館時の施設の利用時間を超えてしまうため、客は退館時に超過した時間に応じた施設の利用料金を追加で支払うことになる。
【０００７】
しかしながら、入館した際の利用時間を超過してまで施設を利用するつもりのなかった客からすると「注文を受ける前に何故一言なかったのか」と不満を感じる客がでることも予想される。そして、超過した時間に応じた施設の利用時間の支払いの際に、不満を感じた客と店員との間でトラブルが発生する可能性もある。施設側からすると客により長い時間施設を利用してもらいたいが、サービスの観点からはトラブルの未然防止が望ましい。
【０００８】
本発明は上記事情に鑑みてなされたものであって、その目的は、客の施設の利用時間の残り時間が少なくなっている場合には注文された商品を登録する前にその旨を店員に報知して客に確認することにより、客と店とのトラブルを防止してサービスの向上を図る注文情報処理システムを提供することにある。
【課題を解決するための手段】
【０００９】
本発明は、入館時に受付時間から定められた時間の入館が許可される入館券を購入した客の入館許可時間に関する入館許可情報をその客を特定する特定情報と関連付けて外部装置から取得する情報処理装置と、客を特定する特定情報及びその客が注文した商品を示す商品情報を含む注文情報を情報処理装置へ送信する携帯端末とからなる注文情報処理システムにおいて、情報処理装置は、携帯端末から送信された注文情報を受信すると現在の時間が注文情報に含まれる特定情報で特定される客に対応する入館許可情報から算出される入館許可終了時間より所定時間前であるか否かを判断し、現在の時間が入館許可終了時間より所定時間前でないと判断するとその判断結果を警告情報として携帯端末へ送信し、携帯端末は警告情報を受信すると特定情報で特定される客の入館許可時間が入館許可終了時間より所定時間前を経過していることを例えばメッセージ等で報知するものである。
【発明の効果】
【００１０】
本発明によると、客の施設の利用時間の残り時間が少なくなっている場合には注文された商品を登録する前にその旨を店員に報知して客に確認することにより、客と店とのトラブルを防止してサービスの向上を図る注文情報処理システムを提供できる。
【発明を実施するための最良の形態】
【００１１】
以下、本発明の各実施の形態について図面を参照して説明する。
【００１２】
（第１の実施の形態）
先ず、第１の実施の形態について述べる。図１は、本発明の注文情報処理システムが適用されたネットワークシステムを概略的に示す図である。図１には、携帯端末であるハンディターミナル（ＨＴＬ）１０、無線親局２０、情報処理装置であるステーション３０、プリンタ４０、電子式キャッシュレジスタ５０が示されている。ハンディターミナル１０と無線親局２０とは無線通信可能となっており、無線親局２０、ステーション３０、プリンタ４０、電子式キャッシュレジスタ５０はＬＡＮ１を介して通信可能に接続されている。このネットワークは、温浴施設等の商業施設に設けられるものであり、電子式キャッシュレジスタ５０は入退館所に設置され、ハンディターミナル１０、無線親局２０、ステーション３０、プリンタ４０はレストラン内に配置される。
【００１３】
図２は、ロッカーキーを示す図である。ロッカーキー２は、温浴施設を利用する客が施設内で所持するキーである。なお、ロッカー（図示せず。）には、当該客の貴重品、荷物等が収納される。ロッカーキー２には、所持者が手首等にロッカーキー２をはめるためのリストバンド３、タグ４が付けられている。このタグ４には、ロッカー番号５及びロッカー番号５を示すバーコード６が印字されている。なお、図２に示すロッカーキー２は、ロッカー番号「０００１」のロッカーのキーである。また、ロッカーキー２にバーコード６を印字せずに、ＲＦＩＤタグ（無線タグ）を用いてロッカー番号５を示す情報を出力するようにしても良い。
【００１４】
電子式キャッシュレジスタ５０は、温浴施設を利用する客に対して入館手続、退館手続を行なう入退館所に設置される。客が入館する際に店員に施設の利用時間に応じた入館券等の商品の購入を申しでると、店員は客の所持するロッカーキー２のバーコード６をバーコードスキャナで読み取り、客の注文した商品と対応する商品キーを入力することによりロッカー番号、販売時間（受付時間）、商品等を登録する。そして、店員は客から商品に相当する金銭を受け取った後、電子式キャッシュレジスタ５０から発行された入館券等を客に渡す。客は入館券等をロッカーにしまった後、ロッカーキー２のリストバンド３を手首にはめて温浴施設を利用する。
【００１５】
図３は、ロッカーキー２を所持する客が２時間券、タオル、シャンプーを購入したときに、電子式キャッシュレジスタ５０の記憶部５１に登録される販売商品テーブル５１ａを示す図である。販売商品テーブル５１ａには、ロッカー番号「０００１」、販売時間「１０時１０分」、販売商品として施設の利用時間「２時間券」、「タオル」、「シャンプー」とそれぞれの料金及びこれらから算出された合計金額が登録されている。このように電子式キャッシュレジスタ５０の販売商品テーブル５１ａに販売商品情報が登録されると、その登録された販売商品情報はＬＡＮ１を介してステーション３０に送信される。
【００１６】
図４は、ハンディターミナル１０の要部構成を示すブロック図である。図４に示すように、ハンディターミナル１０は、制御部本体を構成するＣＰＵ１１に、後述する注文情報送信処理を行なうための制御プログラム、警告情報表示処理を行なうための制御プログラム等を格納したＲＯＭ１２、各種のデータを記憶するＲＡＭ１３、ディスプレイコントローラ１４、入力コントローラ１５、無線通信コントローラ１６等をバス接続してなる制御回路を内蔵している。そして、ディスプレイコントローラ１４にディスプレイ１４ａ、入力コントローラ１５に入力部１５ａ、無線通信コントローラ１６にアンテナ１６ａを接続している。
【００１７】
ディスプレイコントローラ１４は表示データに対応した文字等をディスプレイ１４ａに表示させる。入力コントローラ１５は、入力部１５ａから操作されたキーに対応する信号を取り込みＣＰＵ１１に知らせる。なお、入力部１５ａには、ロッカー番号の入力開始を指示するロッカー番号キー、商品の入力開始を指示する注文キー、注文された商品をステーション３０へ送信する送信キー、置数するための数値キー、ＹＥＳキー、ＮＯキー、レストラン内で販売する商品が割り当てられた商品キー等が設けられている。無線通信コントローラ１６は無線通信を介して行う無線親局２０とのデータ通信を制御する。
【００１８】
次にハンディターミナル１０の実行する注文情報送信処理について説明する。図５は、ＣＰＵ１１の実行する注文情報送信処理の要部を示すフローチャートである。
【００１９】
先ず、ＣＰＵ１１はロッカー番号キーの入力を検知すると（Ｓ１１でＹＥＳ）、入力部１５ａの置数キーから入力された数値を検知して特定情報であるロッカー番号を取得する（Ｓ１２）。続いて、ＣＰＵ１１は注文キーの入力を検知した後（Ｓ１３でＹＥＳ）、商品キーの入力を検知すると（Ｓ１４でＹＥＳ）、検知した商品キーに対応する商品情報を読み出す（Ｓ１５）。そして、ＣＰＵ１１は、送信キーが入力されたか否かを判断する（Ｓ１６）。送信キーの入力を検知しなかった場合は（Ｓ１６でＮＯ）、ステップＳ１４の処理へ戻り、他の商品キーの入力を検知する。一方、送信キーの入力を検知した場合は（Ｓ１６でＹＥＳ）、特定情報であるロッカー番号及び商品情報を含む注文情報を無線親局２０を介してステーション３０へ送信する。
【００２０】
続いて、ハンディターミナル１０の実行する警告情報表示処理について説明する。図６は、ＣＰＵ１１の実行する警告情報表示処理の要部を示すフローチャートである。
【００２１】
ＣＰＵ１１は、ステーション３０から無線親局２０を介して送信された注文情報に対して応答された応答情報を受信すると（Ｓ２１）、受信した応答情報が警告情報か否かを判断する（Ｓ２２）。警告情報ではない（Ｓ２２でＮＯ）、すなわち、登録完了を示す情報であると判断すると、ディスプレイ１４ａに登録完了示すメッセージを表示する（Ｓ２３）。
【００２２】
一方、ＣＰＵ１１は、受信した応答情報が警告情報であると判断すると（Ｓ２２でＹＥＳ）、ディスプレイ１４ａに警告を促すメッセージを表示する（Ｓ２４，報知手段）。このメッセージは、例えば、退館までの時間があとわずかであることを示す旨のメッセージや注文を登録して良いかを確認することを店員に促すメッセージが表示される。なお、メッセージと共にアラームを鳴らして店員に報知するようにしても良い。このメッセージを表示した後、入力部１５ａからの入力について判定する（Ｓ２５）。具体的には、入力部１５ａのＹＥＳキーが入力されたか、ＮＯキーが入力されたかが判定される。
【００２３】
ステップＳ２５でＹＥＳキーが入力されたと判定すると、ＣＰＵ１１は登録許可情報をステーション３０へ無線親局２０を介して送信し（Ｓ２６）、この登録許可情報に応答された登録完了情報をステーション３０から無線親局２０を介して受信すると（Ｓ２７でＹＥＳ）、ステップＳ２３の登録完了を表示する処理を行なう。また、ステップＳ２５でＮＯキーが入力されたと判定すると、ＣＰＵ１１はキャンセル情報をステーション３０へ無線親局２０を介して送信する（Ｓ２８）。
【００２４】
無線親局２０は、ハンディターミナル１０から注文情報、登録許可情報、キャンセル情報等を受信すると、受信した情報を、ＬＡＮ１を介してステーション３０に送信するようになっている。また、無線親局２０は、ステーション３０からＬＡＮ１を介して注文情報に応答された応答情報を受信すると、その注文情報を送信したハンディターミナル１０へ応答情報を無線送信するようになっている。
【００２５】
続いて、ステーション３０について説明する。ステーション３０は、電子式キャッシュレジスタ５０から販売商品情報をＬＡＮ１を介して受信すると、その情報を販売商品テーブルとして記憶するようになっている。また、レストラン内でハンディターミナル１０により注文情報を無線親局を介して取得し、新たに販売商品テーブルに登録する場合には、その注文情報に基づく印字情報を生成しＬＡＮ１を介してプリンタ４０へ送信する。また、ステーション３０は、販売商品テーブルに注文情報を登録した場合には、その情報を電子式キャッシュレジスタ５０へ送信する。すなわち、電子式キャッシュレジスタ５０とステーション３０とで特定情報であるロッカー番号で特定される客の販売商品情報が共有される。
【００２６】
図７は、ステーション３０の要部構成を示すブロック図である。ステーション３０は、制御部本体を構成するＣＰＵ３１に、後述する注文情報受信処理を実行するための制御プログラム等を格納したＲＯＭ３２、電子式キャッシュレジスタ５０からＬＡＮ１を介して取得する販売商品情報を記憶する販売商品テーブル３３ａ等の各種のデータを記憶するＲＡＭ３３、ディスプレイコントローラ３４、入力コントローラ３５、現在の日時を計時する時計部３６、ネットワークコントローラ３７等をバス接続してなる制御回路を内蔵している。そして、ディスプレイコントローラ３４にディスプレイ３４ａ、入力コントローラ３５に入力部３５ａ、ネットワークコントローラ３７にＬＡＮ１を接続している。
【００２７】
ディスプレイコントローラ３４は表示データに対応した文字等をディスプレイ３４ａに表示させる。入力コントローラ３５は、入力部３５ａから操作されたボタンに対応する信号を取り込みＣＰＵ３１に知らせる。ネットワークコントローラ３７は、ＬＡＮ１を通じて行なうデータ通信を制御する。
【００２８】
次に、ステーション３０の実行する注文情報受信処理について説明する。図８はＣＰＵ３１が実行する注文情報受信処理の要部を示すフローチャートである。
【００２９】
先ず、ＣＰＵ３１は、ハンディターミナル１０から無線親局２０を介して受信した注文情報をＲＡＭ３３の所定エリアに一時的に記憶する（Ｓ３１）。そして、注文情報に含まれるロッカー番号を抽出する（Ｓ３２）。そして、抽出したロッカー番号と対応するロッカー番号の入館許可終了時間を販売商品テーブル３３ａから取得する（Ｓ３３）。具体的には、抽出したロッカー番号と対応する販売商品テーブル３３ａのロッカー番号の販売時間のエリアに記憶された時間と、利用時間とから入館許可終了時間が算出され取得される。図３で説明した販売商品テーブル５１ａと同様な内容が販売商品テーブル３３ａに記憶されている場合におけるロッカー番号０００１の客の場合だと、１０時１０分から２時間であるので、入館許可終了時間は、１２時１０分と算出され取得される。
【００３０】
このように算出された入館許可終了時間から所定時間前の時間を算出する（Ｓ３４）。この所定時間は、この実施の形態では１０分とする。すなわち、入館許可終了時間が１２時１０分であれば、１２時００分となる。なお所定時間は入力部３５ａの操作により変更可能である。続いて、ＣＰＵ３１は現在時間を時計部３６から取得する（Ｓ３５）。このように入館許可終了時間から所定時間前の時間及び現在時間を取得すると、ＣＰＵ３１はこれら時間を比較する（Ｓ３６）。
【００３１】
この比較結果により、ＣＰＵ３１は当該所定時間前の時間より現在時間は前であるか否かを判定する（Ｓ３７）。当該所定時間前の時間より現在時間が前でないと判定すると、すなわち、退館時間まで所定時間である１０分をきってしまっていると判定すると（Ｓ３７でＮＯ）、注文情報を送信したハンディターミナル１０に無線親局２０を介して警告情報を送信する（Ｓ３８，警告情報送信手段）。そして、ＣＰＵ３１は、送信した警告情報に対して応答された情報が、登録許可情報かキャンセル情報かを判定する（Ｓ３９）。
【００３２】
ステップＳ３９で受信した情報が登録許可情報と判定すると、又は当該所定時間前の時間より現在時間が前である、すなわち、退館時間まで所定時間である１０分以上あると判定すると（Ｓ３７でＹＥＳ）、ＲＡＭ３３に一時記憶した注文情報を販売商品テーブル３３ａに登録する（Ｓ４０）。なお、このように登録された情報は、ＬＡＮ１を介して電子式キャッシュレジスタへ送信される。
【００３３】
そして、ＣＰＵ３１は、登録完了情報をハンディターミナル１０へ送信し（Ｓ４１）、注文された商品情報から印字情報を作成しその印字情報をプリンタ４０へＬＡＮ１を介して送信する（Ｓ４２）。一方、ステップＳ３９で受信した情報がキャンセル情報と判定すると、ＲＡＭ３３に一時保存した注文情報をクリアする（Ｓ４３）。
【００３４】
次に、レストラン内でハンディターミナル１０を用いて客から商品の注文を受けるときの作用について説明する。客が店員に商品の注文をすると、店員は所持するハンディターミナル１０の入力部１５ａのロッカー番号キーを入力した後客のロッカーキーを確認し、ロッカー番号を入力する。さらに店員は入力部１５ａの注文キーを入力した後、客の注文した商品と対応する商品キーを入力して送信キーを入力する。すると、ロッカー番号及び注文された商品情報を含む注文情報がハンディターミナル１０から無線親局２０を介してステーション３０へ送信される。
【００３５】
ステーション３０は、受信した注文情報からロッカー番号を抽出し、抽出したロッカー番号と対応する販売商品テーブル３３ａの販売時間のエリアに記憶された時間及び施設の利用時間を読み出し、入館許可終了時間である退館時間を算出する。さらに、その算出した退館時間から例えば１０分である所定時間前の時間を算出し、現在の時間と比較する。算出した退館時間から所定時間前の時間が現在時間を経過した時間でなければ、注文情報を販売商品テーブル３３ａに登録して登録完了情報をハンディターミナル１０へ送信する。一方、算出した退館時間から所定時間前の時間が現在時間を経過していると、警告情報をハンディターミナル１０に送信する。
【００３６】
ハンディターミナル１０は警告情報を受信すると、ディスプレイ１４ａにメッセージを表示する。図９はこのメッセージを表示したときのディスプレイ１４ａを示す図である。図９に示すように、客の退館時間まで残り１０分ないことを示すメッセージが表示されるとともに、注文を登録しよいか否かを客に確認するメッセージが表示される。この際、アラームも鳴らすようにしても良い。店員はこのメッセージを視認すると、客に注文を登録して良いか否かを確認する。客から注文して良いとの回答を得れば入力部１５ａのＹＥＳキーを、客から注文はキャンセルするとの回答を得れば入力部１５ａのＮＯキーを入力する。
【００３７】
ＹＥＳキーが入力された場合は、登録許可情報がステーション３０へ送信されるため注文した商品がステーション３０で登録され、その後登録完了情報を受信するとディスプレイ１４ａに登録完了が表示される。一方、ＮＯキーが入力された場合は、キャンセル情報が送信されるため注文した商品はキャンセルされる。
【００３８】
この実施の形態によると、客の温浴施設の利用時間の残りが所定時間である１０分を経過してしまっている場合には、商品の注文を登録する前にその旨をハンディターミナル１０のディスプレイ１４ａにメッセージを表示して客に確認をとってから注文を登録することができる。したがって客と店とのトラブルを防止してサービスの向上を図ることができる。
【００３９】
（第２の実施の形態）
次に、第２の実施の形態について述べる。なお、前述した第１の実施の形態と同一の部分には同一の符号を付し詳細な説明は省略する。この第２の実施の形態は、レストランで商品の注文を受けたときに客の退館時間の残りが所定時間を経過してしまっている場合には、退館時間の延長を登録してからでないと注文商品の登録ができない処理を行なう場合について説明する。
【００４０】
すなわち、上記ステップＳ２４で警告情報を表示するメッセージとして、例えば、退館までの時間があとわずかであることを示す旨のメッセージや注文商品を登録して良いかを確認する旨のメッセージに加え、退館時間の延長を促すメッセージも表示される。図１０は、このメッセージが表示されたときのディスプレイ１４ａの表示例を示す図である。
【００４１】
このメッセージがディスプレイ１４ａに表示された後、入力部１５ａのＹＥＳキーが入力されると（ステップＳ２５でＹＥＳ）、図１１で示す処理が実行される。図１１は、第１の実施の形態のステップＳ２５でＹＥＳの場合に、ステップＳ２６の処理の前に実行される処理を示すサブフローチャートである。
【００４２】
ＣＰＵ１１は、先ず、入館券情報をディスプレイ１４ａに表示する（Ｓ５１）。入館券情報としては、例えば、２時間券、３時間券、４時間券が表示される。そして、ＣＰＵ３１は、この入館券情報のうちから選択された入館券を示す情報を取得する（Ｓ５２）。すると、当該選択された入館券を示す情報をステーション３０に無線親局２０を介して送信する（Ｓ５３）。
【００４３】
ステーション３０は前記情報を受信すると、既にステップＳ１２で取得しているロッカー番号と対応する販売商品テーブル３３ａに記憶されている入館券を示す情報を変更する。例えば、ロッカー番号「０００１」の客の場合、２時間券から３時間券に変更される。そして、変更が完了すると、変更完了を示す変更完了情報をハンディターミナル１０に送信する。
【００４４】
ＣＰＵ１１は、ステーション３０から変更完了情報を受信すると（Ｓ５４でＹＥＳ）、入館券の変更が完了したことを示すメッセージ及び既に注文されている商品の登録を行なってよいかを確認するメッセージをディスプレイ１４ａに表示する（Ｓ５５）。
【００４５】
図１２は、このときのディスプレイ１４ａのメッセージの表示例を示す図である。図１２に示すように、退館時間が延長されたこと及び注文商品を登録してよいかを確認するメッセージが表示されている。
【００４６】
そして、ＣＰＵ１１は、入力部１５ａのＹＥＳキーの入力がされたか、ＮＯキーの入力がされたかを判定する（Ｓ５６）。ステップＳ５６でＹＥＳキーの入力であると判定すると登録許可情報をステーション３０へ送信し（Ｓ２６）、ＮＯキーの入力であると判定するとキャンセル情報をステーション３０へ送信する（Ｓ２８）。
【００４７】
このように、客の施設利用時間の残りが所定時間を経過してしまっている場合には、退館時間の延長を行なってから、商品の注文を販売商品テーブル３３ａに登録することにより、第１の実施の形態よりもさらに、客と店とのトラブルを防止するとともにサービスの向上を図ることができる。
【００４８】
なお、本発明は、上述した実施の形態そのままに限定されるものではなく、実施段階ではその要旨を逸脱しない範囲で構成要素を変形して具体化でき、また、実施の形態に開示されている複数の構成要素の適宜な組み合わせにより種々の発明を変形できるものである。
【図面の簡単な説明】
【００４９】
【図１】本発明の第１の実施の形態におけるネットワーク構成を概略的に示す図。
【図２】同実施の形態におけるロッカーキーを示す図。
【図３】同実施の形態における販売商品テーブルを示す図。
【図４】同実施の形態における携帯端末の要部構成を示すブロック図。
【図５】同実施の形態における注文情報送信処理の要部を示すフローチャート。
【図６】同実施の形態における警告情報表示処理の要部を示すフローチャート。
【図７】同実施の形態における情報処理装置の要部構成を示すブロック図。
【図８】同実施の形態における注文情報受信処理の要部を示すフローチャート。
【図９】同実施の形態における携帯端末のディスプレイの表示例を示す図。
【図１０】本発明の第２の実施の形態における携帯端末のディスプレイの表示例を示す図。
【図１１】同実施の形態における処理を示すサブフローチャート。
【図１２】同実施の形態における携帯端末のディスプレイの表示例を示す図。
【符号の説明】
【００５０】
２…ロッカーキー、５…ロッカー番号、６…バーコード、１０…ハンディターミナル（携帯端末）、１１…ＣＰＵ、１２…ＲＯＭ、１３…ＲＡＭ、１４ａ…入力部、３０…ステーション（情報処理装置）、３１…ＣＰＵ、３２…ＲＯＭ、３３…ＲＡＭ、３３ａ，５１ａ…販売商品テーブル
【図１】
2007293527.tif 000003
【図２】
2007293527.tif 000004
【図３】
2007293527.tif 000005
【図４】
2007293527.tif 000006
【図５】
2007293527.tif 000007
【図６】
2007293527.tif 000008
【図７】
2007293527.tif 000009
【図８】
2007293527.tif 000010
【図９】
2007293527.tif 000011
【図１０】
2007293527.tif 000012
【図１１】
2007293527.tif 000013
【図１２】
2007293527.tif 000014